(57)【要約】【課題】カフ型カテーテルを体内に留置する前に、放射線透視下で脱血穴及び送血穴の位置をあらかじめ設定可能とする事前確認具を提供する。【解決手段】血液透析に用いるカフ型カテーテルを体内に留置する前に、放射線透視下でカフ型カテーテルの脱血穴及び送血穴の留置位置を設定するために用いる所定長さの長手状基体からなる事前確認具であり、長手状基体に、カフ型カテーテルの送血穴、脱血穴、及びカフと対応する位置と、カフ型カテーテルを体外に誘導する出口に対応する位置に、放射線に対して不透過な金属材料で送血穴部マーク、脱血穴部マーク、カフ部マーク、出口部マークとを設けるとともに、カフ部マークの部分には長手状基体を貫通するカフ部貫通孔を設け、出口部マークの部分には長手状基体を貫通する出口部貫通孔を設け、カフ部貫通孔及び出口部貫通孔を通して、カフ型カテーテルが留置される患者の体表面にマーキング可能とする。【選択図】図２
2015084971.tif 000002
【特許請求の範囲】
【請求項１】
血液透析に用いるカフ型カテーテルを体内に留置する前に、放射線透視下で前記カフ型カテーテルの脱血穴及び送血穴の留置位置を設定するために用いる所定長さの長手状基体からなる事前確認具であって、
前記長手状基体には、前記カフ型カテーテルの送血穴、脱血穴、及びカフと対応する位置と、前記カフ型カテーテルを体外に誘導する出口に対応する位置に、前記放射線に対して不透過な金属材料で送血穴部マーク、脱血穴部マーク、カフ部マーク、出口部マークとを設けるとともに、
前記カフ部マークの部分には、前記長手状基体を貫通するカフ部貫通孔を設け、
前記出口部マークの部分には、前記長手状基体を貫通する出口部貫通孔を設け、
前記カフ部貫通孔及び前記出口部貫通孔を通して、前記カフ型カテーテルが留置される患者の体表面にマーキング可能としている事前確認具。
【請求項２】
前記長手状基体には、前記カフ部マークよりも前記脱血穴部マーク寄りの位置から前記出口部マークまでの間に、前記長手状基体を貫通する貫通孔を前記長手状基体の長手方向に沿って所定間隔で複数設けている請求項１に記載の事前確認具。
【請求項３】
前記脱血穴部マークは、始点側脱血穴部マークと終点側脱血穴部マークとで構成している請求項１または請求項２に記載の事前確認具。
【発明の詳細な説明】
【技術分野】
【０００１】
本発明は、血液透析用のカフ型カテーテルの留置を行う際に、事前にカテーテルの留置位置を確認するために用いる事前確認具に関する。
【背景技術】
【０００２】
日本では、2012年時点で約30万人の維持血液透析が必要な患者が存在している。さらに、毎年約3万8000人に対して新規に血液透析が導入されている。
【０００３】
日本で血液透析を受けている患者は、その約90％が自己血管を用いた動静脈シャントにより行っているが、２〜３％程度の患者は、血液透析用カテーテルを用いて行っている。一方、世界では、2004年統計で、末期腎不全と診断された約180万人の患者のうち、約68％が血液透析を受けており、そのうちの80％以上の患者が自己血管を用いた動静脈シャントで血液透析を行っている。
【０００４】
カテーテル透析の割合は、国によって差があり、２〜25％と幅がある。血液透析用カテーテルには２種類あり、カフ型と非カフ型に分類される。
【０００５】
カフ型カテーテルは、血管内から直接体外へ誘導される非カフ型カテーテルと比較して、皮下トンネルを経由して対外に誘導されるために感染予防となり、長期的に使用できるカテーテルとして知られている（例えば、特許文献１参照。）。特に、カテーテルの先端は送血用と脱血用の２つに分かれており、脱血用カテーテルの方が数センチ短く設定されている。
【０００６】
このような透析用のカテーテルを用いる場合には、通常、カテーテルの留置前に脱血穴及び送血穴の位置設定を放射線透視下に設定することは行っておらず、右内頚静脈から穿刺を行い、気管分岐部よりもやや足側に送血カテーテル先端を、気管分岐部付近に脱血用カテーテル先端を留置している。
【先行技術文献】
【特許文献】
【０００７】
【特許文献１】特表２００５−５１６６９３号公報
【発明の概要】
【発明が解決しようとする課題】
【０００８】
上述したように、カテーテルの留置前には、ほとんどの場合で脱血穴及び送血穴の位置設定を行わずに、経験に基づいて留置を行っているのであるが、脱血穴の位置が十分に脱血可能な太い上大静脈ではなく、上大静脈よりも径が細い腕頭静脈内に留置される場合があった。このようにカテーテルの脱血穴が腕頭静脈内に留置された場合には、脱血不良を生じるおそれがあった。
【０００９】
そして、実際に脱血不良が生じた場合には、カテーテルを完全に交換することが必要であり、１本あたり４万５千円程度のカテーテルの費用を患者が負担することによる経済的な負担増だけでなく、既に留置しているカテーテルの除去に際してカテーテルのカフの除去にともなう切開のような侵襲を与えることによる身体的な負担増を招くという問題があった。
【００１０】
さらに、脱血穴の位置の問題だけでなく、カテーテルの長さが十分でなかった場合には、穿刺部からカテーテル体外誘導部(出口部)の距離が短くなるおそれがあったり、あるいは穿刺部近傍でカテーテルを屈曲させてしまうことで脱送血が困難となったりする問題もあった。
【００１１】
本発明者らはこのような現状に鑑み、カフ型カテーテルを体内に留置する前に、放射線透視下で脱血穴及び送血穴の位置をあらかじめ設定しておくことで、上記の問題点を解決できると考え、放射線透視下での脱血穴及び送血穴の位置設定を行いやすくするための研究開発を行う中で、本発明を成すに至ったものである。
【課題を解決するための手段】
【００１２】
本発明のカテーテルの留置位置の事前確認具は、血液透析に用いるカフ型カテーテルを体内に留置する前に、放射線透視下でカフ型カテーテルの脱血穴及び送血穴の留置位置を設定するために用いる所定長さの長手状基体からなる事前確認具である。
【００１３】
特に、長手状基体には、カフ型カテーテルの送血穴、脱血穴、及びカフと対応する位置と、カフ型カテーテルを体外に誘導する出口に対応する位置に、放射線に対して不透過な金属材料で送血穴部マーク、脱血穴部マーク、カフ部マーク、出口部マークとを設けるとともに、カフ部マークの部分には長手状基体を貫通するカフ部貫通孔を設け、出口部マークの部分には長手状基体を貫通する出口部貫通孔を設け、カフ部貫通孔及び出口部貫通孔を通して、カフ型カテーテルが留置される患者の体表面にマーキング可能としているものである。
【００１４】
さらに、本発明のカテーテルの留置位置の事前確認具では、長手状基体に、カフ部マークよりも脱血穴部マーク寄りの位置から出口部マークまでの間に、長手状基体を貫通する貫通孔を長手状基体の長手方向に沿って所定間隔で複数設けていることにも特徴を有し、さらには、脱血穴部マークを始点側脱血穴部マークと終点側脱血穴部マークとで構成していることにも特徴を有するものである。
【発明の効果】
【００１５】
本発明によれば、送血穴部マーク、脱血穴部マーク、カフ部マーク、出口部マークを設けた事前確認具であらかじめカテーテルの留置位置を設定しておくことで、カテーテルの脱血穴を上大静脈に適正に留置することができ、脱血不良の発生を防止できる。
【００１６】
さらに、カフ部マークの部分に設けたカフ部貫通孔、及び出口部マークの部分に設けた出口部貫通孔を介して、カフ部及び出口部のマーキングを行っておくことで、このマーキングに基づいてカフ型カテーテルを留置することでカフ型カテーテルを適正配置とすることができ、カフ型カテーテルの屈曲防止や必要な距離の確保などを確実とすることができる。
【図面の簡単な説明】
【００１７】
【図１】本発明に係る事前確認具の説明図である。
【図２】本発明に係る事前確認具の説明図である。
【図３】本発明に係る事前確認具の使用方法の説明図である。
【図４】本発明に係る事前確認具の使用方法の説明図である。
【図５】本発明に係る事前確認具の使用方法の説明図である。
【図６】本発明に係る事前確認具の使用方法の説明図である。
【図７】変形例の事前確認具の説明図である。
【発明を実施するための形態】
【００１８】
本発明のカテーテルの留置位置の事前確認具は、血液透析に用いるカフ型カテーテルを体内に留置する前に、放射線透視下でカフ型カテーテルの脱血穴及び送血穴の留置位置を設定するために用いるものである。
【００１９】
図１及び図２に示すように、事前確認具Ａは、所定長さの長手状基体10で構成している。
【００２０】
長手状基体10は、体内に留置するカフ型カテーテルとほぼ同じ長さとすることが望ましい。長手状基体10の材質は、Ｘ線に対して不透過であれば何であってもよく、本実施形態では、ポリウレタン製としている。また、本実施形態では、幅寸法が1cm、厚さ寸法が0.5mm、長さ寸法が45cmとした２枚のポリウレタンシートを重ねて一体化して長手状基体10としている。他の実施形態として、例えばカフ型カテーテルと同一材質のチューブで構成することもでき、チューブで構成した場合には、径方向に押しつぶして扁平状とすることが望ましい。長手状基体10は、カフ型カテーテルと同材質で、大きさ的にも同程度としておくことで、カフ型カテーテルに近い撓みの応力を生じやすくすることでき、カフ型カテーテルに屈曲が生じない程度に曲げる際の加減を把握しやすくすることができる。
【００２１】
長手状基体10には、カフ型カテーテルの送血穴、脱血穴、及びカフと対応する位置と、カフ型カテーテルを体外に誘導する出口に対応する位置に、放射線に対して不透過な金属材料で送血穴部マーク11、脱血穴部マーク12、カフ部マーク13、出口部マーク14とを設けている。
【００２２】
特に、脱血穴部マーク12は、始点側脱血穴部マーク12aと終点側脱血穴部マーク12bとで構成して、所定長さの脱血領域を明示可能としている。
【００２３】
また、本実施形態では、使用するカフ型カテーテルが、送血穴が設けられている送血管と、脱血穴が設けられている脱血管とをスプリット可能とされているスプリットカテーテルであるため、そのスプリットの限界地点に対応する位置として、長手状基体10にはスプリット限度マーク15を設けている。
【００２４】
本実施形態では、送血穴部マーク11、始点側脱血穴部マーク12a、終点側脱血穴部マーク12b、カフ部マーク13、出口部マーク14、スプリット限度マーク15は、それぞれ鉛板で構成しており、長手状基体10を構成している一方のポリウレタンシートの所定位置にそれぞれ送血穴部マーク11、始点側脱血穴部マーク12a、終点側脱血穴部マーク12b、カフ部マーク13、出口部マーク14、スプリット限度マーク15を載置した後に、他方のポリウレタンシートを貼り合わせて一体化している。
【００２５】
図１及び図２に示すように、本実施形態では、送血穴部マーク11、始点側脱血穴部マーク12a、終点側脱血穴部マーク12b、カフ部マーク13、出口部マーク14、スプリット限度マーク15は、それぞれ平面視正方形状としているが、正方形状に限定するものではなく適宜の形状としてよく、特にそれぞれのマークを識別可能とする特異的な形状としてもよい。
【００２６】
本実施形態では、カフ部マーク13、出口部マーク14及びスプリット限度マーク15には中央部分に貫通孔を設けることで、送血穴部マーク11、始点側脱血穴部マーク12a、終点側脱血穴部マーク12bとは異なり、放射線透視下で孔開きのマークとして識別され、送血穴部マーク11、始点側脱血穴部マーク12a、終点側脱血穴部マーク12bと容易に識別可能として、誤認識を生じることを防止できる。
【００２７】
さらに、長手状基体10には、カフ部マーク13、出口部マーク14及びスプリット限度マーク15に設けた貫通孔と同一部分に、それぞれ長手状基体10を貫通するカフ部貫通孔13h、出口部貫通孔14h及びスプリット限度部貫通孔15hを設けている。
【００２８】
このカフ部貫通孔13h、出口部貫通孔14h及びスプリット限度部貫通孔15hは、少なくとも、後述するマーキング用のペン先が挿入可能な程度の大きさとしている。
【００２９】
また、本実施形態の長手状基体10には、カフ部マーク13よりも脱血穴部マーク12寄りの位置から出口部マーク14までの間に、長手状基体10を貫通する貫通孔ｈを長手状基体10の長手方向に沿って所定間隔で複数設けている。
【００３０】
この貫通孔ｈの大きさもマーキング用のペン先が挿入可能な程度の大きさとしている。
【００３１】
以下において、上述したように構成した事前確認具の使用方法ついて説明する。なお、カフ型カテーテルの留置が施される患者は、それまでの処置の課程で内頚静脈から非カフ型カテーテルが既に留置されている場合が多く、以下においては、非カフ型カテーテルからカフ型カテーテルの切り替えとしてカフ型カテーテルの留置が行われる場合を想定して説明する。
【００３２】
まず、カフ型カテーテルの留置が施される患者は、Ｘ線撮影装置のベッドの上に仰向けに横たわらせておく。
【００３３】
次いで、図３に示すように、患者の前胸部に事前確認具Ａを仮置きして、長さが十分であることを確認し、Ｘ線撮影装置による撮影によって患者の気管分岐部Ｔを確認する。また、患者には、既に非カフ型カテーテルが留置されていることにより、Ｘ線撮影装置による撮影によって非カフ型カテーテルが映り込んでおり、事前確認具Ａの粗々の配置位置を確認する。
【００３４】
次いで、事前確認具Ａの位置調整を行う。すなわち、事前確認具Ａは、非カフ型カテーテルに沿わせながら、始点側脱血穴部マーク12aと終点側脱血穴部マーク12bとが気管分岐部Ｔを挟むように位置を調整し、粘着テープＳで固定する（図４参照）。
【００３５】
さらに、事前確認具Ａは、非カフ型カテーテルの位置に沿わせながら内頚静脈近傍まで粘着テープＳで固定した後、右腕方向に湾曲させて粘着テープＳで固定する。
【００３６】
粘着テープＳによる事前確認具Ａの固定後に、Ｘ線撮影装置による撮影を行って、事前確認具Ａが適正に配置されているかを確認するとともに、撮影された映像をプレフィッティングフィルムとして保存する。このプレフィッティングフィルムは、事前確認具Ａにおける送血穴部マーク11の位置を記録するためのものである。
【００３７】
プレフィッティングフィルムの撮影後、図４に示すように、適当な油性ペン等のマーキング用のペンＰを用い、事前確認具Ａに設けたカフ部貫通孔13h、出口部貫通孔14h、スプリット限度部貫通孔15h及び出口部マーク14までに設けた貫通孔hにペン先を挿入しながら患者の皮膚にマーキングを行う。特に、出口部マーク14までに設けた貫通孔hを介して行ったマーキングによって、図５に示すように点線状のガイドラインＧを形成する。
【００３８】
マーキングは、図５に示すように、少なくともカフ部と出口部が識別できるように、カフ部及び出口部ではそれぞれマーキングの形態を異ならせている。本実施形態では、図５に示すように、カフ部と出口部は×印とし、それ以外は点印としている。なお、スプリット限度部部分を明示するマーキングを行ってもよく、必要であれば、送血穴部、始点側脱血穴部、終点側脱血穴部もマーキングするようにしてもよい。
【００３９】
カフ部及び出口部のマーキングの形態は、×印に限定するものではなく、識別可能となる適宜のマーキングを行ってもよく、特に、カフ部は所定長さの領域を有するため、その領域も表示可能となるように、例えば、事前確認具の長手方向に沿った長孔状にカフ部貫通孔を形成してもよい。
【００４０】
所定のマーキングの完了後、全体像を把握して、カフ型カテーテルの留置を開始する。
【００４１】
はじめに、皮膚を十分に消毒し、既に留置されている非カフ型カテーテルを横切開してカテーテルを切断し、ガイドワイヤーを右心房に向かって進めて、ガイドワイヤーを留置するとともに、非カフ型カテーテルを除去する。
【００４２】
次いで、ガイドワイヤーを介してカフ型カテーテルを挿入する。カフ型カテーテルを所定長さだけ挿入した後に、ガイドワイヤーは除去する。
【００４３】
カフ型カテーテルの挿入後、Ｘ線撮影装置による撮影を行いながら、挿入したカフ型カテーテルの先端の位置を、プレフィッティングフィルムに記録した送血穴部マークの位置に合わせ込む。
【００４４】
すなわち、カフ型カテーテルは、Ｘ線透視下では送血穴のある先端部分は識別可能であるが、脱血穴は識別困難であるため、挿入したカフ型カテーテルの先端の位置によって、適正な位置に達しているかを判定することとしている。
【００４５】
カフ型カテーテルの先端の位置を確認した後、カフ型カテーテルの後端側をトンネネラー（図示せず）に挿入し、内頚静脈へカフ型カテーテルが挿入されている箇所から出口部に向かって、事前にマーキングしていたガイドラインに沿ってトンネネラーにより皮下にカフ型カテーテルを通す。
【００４６】
さらに、事前にマーキングしていた出口部部分からトンネネラーを体外へ誘導して、図６に示すように、カフ型カテーテルＣの後端側を体外へ誘導する。
【００４７】
カフ型カテーテルＣの後端側を体外へ誘導した後、Ｘ線撮影装置による撮影を行って、カフ型カテーテルＣが適正に留置できたかを確認するとともに、撮影された映像をポストフィッティングフィルムとして保存する。なお、カフ型カテーテルＣの後端側を体外に誘導する際に、カフ型カテーテルの先端の位置がずれることがあるが、ポストフィッティングフィルムの撮影の際にずれを確認して、必要であれば調整し、プレフィッティングフィルムでの送血穴部マークの位置と、ポストフィッティングフィルムでのカフ型カテーテルＣの先端の位置をできるだけ一致させている。
【００４８】
カフ型カテーテルＣが適正に留置できたことを確認した後、カフ型カテーテルＣのカフを膨張させ、また、頚部及び出口部部分の傷口の処置を行う。
【００４９】
このように、事前確認具Ａであらかじめカフ型カテーテルＣの留置位置を設定しておくことで、カフ型カテーテルＣの脱血穴を上大静脈に適正に留置することができ、脱血不良の発生を防止できる。
【００５０】
特に、脱血穴部マーク12を始点側脱血穴部マーク12aと終点側脱血穴部マーク12bとで構成していることで、脱血穴を上大静脈に留置する際の目印となる気管分岐部Ｔとの位置関係を適切に認識することができ、常に適正な状態にカフ型カテーテルＣを留置可能とすることができる。
【００５１】
さらに、カフ部マーク13の部分に設けたカフ部貫通孔13h、及び出口部マーク14の部分に設けた出口部貫通孔14hを介して、カフ部及び出口部のマーキングを行っておくことで、このマーキングに基づいてカフ型カテーテルＣを留置することでカフ型カテーテルＣを適正配置とすることができ、カフ型カテーテルＣの屈曲防止や必要な距離の確保などを確実とすることができる。
【００５２】
特に、事前確認具Ａには、カフ部マーク13よりも脱血穴部マーク12寄りの位置から出口部マーク14までの間に、長手状基体10を貫通する貫通孔ｈを長手状基体10の長手方向に沿って所定間隔で複数設けていることによって、この貫通孔ｈを介したマーキングを簡単に行うことができるとともに、マーキングによって形成されたガイドラインＧに沿ってカフ型カテーテルＣを留置することでカフ型カテーテルＣを適正配置とすることができ、カフ型カテーテルＣに生じやすい屈曲を確実に防止できる。
【００５３】
本実施形態では、事前確認具は、帯状としたポリウレタンシートを重ねて一体化して長手状基体としているため、幅方向の可撓性が、厚み方向の可撓性よりも劣ることとなりやすく、頚部近傍で長手状基体を湾曲させる際に、湾曲させにくいことがある。
【００５４】
そこで、例えば図７に示すように、長手状基体10'の幅方向の両側に、長手状基体10'の長手方向に沿って複数の凹部16を設けておくことで、幅方向の可撓性を向上させておいてもよく、長手状基体10'の柔軟性を高める構造としてもよい。
【００５５】
特に、凹部16は、長手状基体10'に貫通孔h'を形成する際に用いる打抜加工装置等を用いて形成することで、比較的容易に形成できる。
【符号の説明】
【００５６】
Ａ  事前確認具
Ｃ  カフ型カテーテル
Ｇ  ガイドライン
Ｐ  ペン
Ｓ  粘着テープ
Ｔ  気管分岐部
10  長手状基体
11  送血穴部マーク
12  脱血穴部マーク
12a 始点側脱血穴部マーク
12b 終点側脱血穴部マーク
13  カフ部マーク
13h カフ部貫通孔
14  出口部マーク
14h 出口部貫通孔
15  スプリット限度マーク
15h スプリット限度部貫通孔
ｈ  貫通孔
【図１】
2015084971.tif 000003
【図２】
2015084971.tif 000004
【図３】
2015084971.tif 000005
【図４】
2015084971.tif 000006
【図５】
2015084971.tif 000007
【図６】
2015084971.tif 000008
【図７】
2015084971.tif 000009